(57)【特許請求の範囲】
【請求項１】
道路情報を蓄積する道路情報蓄積手段と、ネットワークを介して外部情報を入手する外部情報入手手段と、必要な外部情報に対する操作をユーザが入力するユーザ入力手段と、ユーザの現在位置を取得する現在位置取得手段と、前記ユーザ入力手段のユーザ指示と前記現在位置取得手段で取得した現在位置を基に外部情報を選択蓄積し、前記外部情報には、前記ユーザの要求を入力するメニューが含まれる外部情報蓄積手段と、前記道路情報蓄積手段で蓄積されている道路情報と前記外部情報蓄積手段で蓄積されている外部情報を合成する情報合成手段と、前記情報合成手段で合成された情報を表示する情報表示手段と、前記情報表示手段で表示された情報に対して、前記外部情報に含まれていた前記ユーザの要求を入力するメニューが前記ユーザに選択された場合に、要求された情報を入手するためにネットワークを介して情報を取り込む要求を発信する情報発信手段とを有する情報表示装置。
【請求項２】
道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記外部情報蓄積手段で蓄積されている情報に対し価格情報をもとに並び替える情報整理手段と、前記外部情報の変換表を蓄積する変換表蓄積手段と、前記外部情報に対して前記変換表による変換処理を施した情報を前記外部情報整理手段で並び替えられた順に大きさを変更して前記道路情報蓄積手段で蓄積されている道路情報と合成する情報合成手段とを有する情報合成装置。
【請求項３】
請求項２記載の情報合成装置において、
前記外部情報がガソリンの情報であり、前記情報整理手段は、前記外部情報蓄積手段で蓄積されている情報をガソリン単価の情報をもとに並び替える情報整理手段であり、前記情報合成手段は、前記道路情報蓄積手段で蓄積されている道路情報と前記外部情報整理手段で並び替えられた順に外部情報を前記変換表で変換した情報をフォントの大きさを変更して合成する情報合成手段である情報合成装置。
【発明の詳細な説明】
【０００１】
【発明の属する技術分野】
本発明は、車載用電子機器として道路情報とその他の情報を合成して表示することにより、ユーザにとってわかりやすい情報表示装置およびその方法に関するものである。
【０００２】
【従来の技術】
近年、磁気ディスク、光ディスク、大容量ハードディスクに代表されるような安価で大容量の記憶媒体の普及により、大規模な情報でも手軽に扱えるようになってきている。特に、カーナビゲーションシステムに代表されるように、移動しながらでも、道路情報と地理情報が蓄積されたメディアを再生することにより、ユーザの現在位置や、目的地までの経路をディスプレイ上で確認することができる。
【０００３】
【発明が解決しようとする課題】
しかしながら、道路情報に比べ、地理情報の更新は頻繁に行われ、最新の情報を入手するためには、更新される度に記憶媒体を取り替えなければならない。一方、インターネット等に代表されるように、ネットワークを介して世界中の情報を電話回線等を利用することにより、簡単に最新の情報を入手できるようになってきている。
【０００４】
そこで、本発明では、従来までの静的な記憶媒体に対して、頻繁に更新される情報を融合することにより最新の情報をユーザにわかりやすく提示するものである。特に、蓄積されている道路情報の上に外部の記憶媒体や、ネットワークを介して入手した情報を合成して出力することにより、最新の情報をユーザに提供することを目的とするものである。
【０００５】
【課題を解決するための手段】
本願発明は、道路情報を蓄積する道路情報蓄積手段と、ネットワークを介して外部情報を入手する外部情報入手手段と、必要な外部情報に対する操作をユーザが入力するユーザ入力手段と、ユーザの現在位置を取得する現在位置取得手段と、前記ユーザ入力手段のユーザ指示と前記現在位置取得手段で取得した現在位置を基に外部情報を選択蓄積し、前記外部情報には、前記ユーザの要求を入力するメニューが含まれる外部情報蓄積手段と、前記道路情報蓄積手段で蓄積されている道路情報と前記外部情報蓄積手段で蓄積されている外部情報を合成する情報合成手段と、前記情報合成手段で合成された情報を表示する情報表示手段と、前記情報表示手段で表示された情報に対して、前記外部情報に含まれていた前記ユーザの要求を入力するメニューが前記ユーザに選択された場合に、要求された情報を入手するためにネットワークを介して情報を取り込む要求を発信する情報発信手段とを有する情報表示装置である。
【０００６】
また、道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記外部情報蓄積手段で蓄積されている情報に対し価格情報をもとに並び替える情報整理手段と、前記外部情報の変換表を蓄積する変換表蓄積手段と、前記外部情報に対して前記変換表による変換処理を施した情報を前記外部情報整理手段で並び替えられた順に大きさを変更して前記道路情報蓄積手段で蓄積されている道路情報と合成する情報合成手段とを有する情報合成装置である。
【０００７】
【発明の実施の形態】
第１の実施形態は、道路情報を蓄積する道路情報蓄積手段と、地理情報を蓄積する地理情報蓄積手段と、前記道路情報蓄積手段で蓄積されている道路情報と前記地理情報蓄積手段で蓄積されている地理情報を合成する情報合成手段からなることを特徴とする情報合成装置である。
第１の実施形態の情報合成装置によれば、道路情報と地理情報を独立に記憶している媒体が存在した場合に、それらの情報を座標情報を基に合成することができる。これにより、ユーザにとってわかりやすく、道路情報と地理情報を合成した情報を提供することができる。
【０００８】
第２の実施形態は、道路情報を蓄積する道路情報蓄積手段と、ネットワークを介して外部情報を入手する外部情報入手手段と、前記外部情報入手手段で入手した情報を蓄積する外部情報蓄積手段と、前記道路情報蓄積手段で蓄積されている道路情報と前記外部情報蓄積手段で蓄積されている外部情報を合成する情報合成手段からなることを特徴とする情報合成装置である。
第２の発明の情報合成装置によれば、外部のネットワークから入手した地理情報を道路情報に重ねて表示することにより、最新の地理情報を道路情報の上で確認することができる。
【０００９】
第３の実施形態は、道路情報を蓄積する道路情報蓄積手段と、ネットワークを介して外部情報を入手する外部情報入手手段と、前記外部情報入手手段で入手した情報を選択するための情報を入手する選択情報入手手段と、前記選択情報入手手段で入手した情報を基に外部情報を選択蓄積する外部情報蓄積手段と、前記道路情報蓄積手段で蓄積されている道路情報と前記外部情報蓄積手段で蓄積されている外部情報を合成する情報合成手段からなることを特徴とする情報合成装置である。
【００１０】
第３の実施形態の情報合成装置によれば、外部のネットワークから入手した地理情報を外部センサからの情報で選択することにより、関連した地理情報を道路情報に重ねて表示することができ、最新の地理情報を道路情報の上で確認することができる。
【００１１】
第４の実施形態は、道路情報を蓄積する道路情報蓄積手段と、ネットワークを介して外部情報を入手する外部情報入手手段と、必要な外部情報をユーザが指示するユーザ入力手段と、前記ユーザ入力手段で指示された外部情報を蓄積する外部情報蓄積手段と、前記道路情報蓄積手段で蓄積されている道路情報と前記外部情報蓄積手段で蓄積されている外部情報を合成する情報合成手段からなることを特徴とする情報合成装置である。
【００１２】
第４の実施形態の情報合成装置によれば、外部のネットワークから入手した地理情報をユーザの指示により選択することにより、ユーザにとって興味ある地理情報を道路情報に重ねて表示することができ、最新の地理情報を道路情報の上で確認することができる。
【００１３】
第５の実施形態は、道路情報を蓄積する道路情報蓄積手段と、ネットワークを介して外部情報を入手する外部情報入手手段と、ユーザの現在位置を取得する現在位置取得手段と、前記現在位置取得手段で取得した現在位置を基に外部情報を選択蓄積する外部情報蓄積手段と、前記道路情報蓄積手段で蓄積されている道路情報と前記外部情報蓄積手段で蓄積されている外部情報を合成する情報合成手段からなることを特徴とする情報合成装置である。
【００１４】
第５の実施形態の情報合成装置によれば、外部のネットワークから入手した地理情報をユーザの現在位置により選択することにより、ユーザの現在位置に関連する地理情報を道路情報に重ねて表示することができ、最新の地理情報を道路情報の上で確認することができる。
【００１５】
第６の実施形態は、道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記道路情報蓄積手段で蓄積されている道路情報と前記外部情報蓄積手段で蓄積されている外部情報を合成する情報合成手段と、前記現在位置取得手段の現在位置と前記外部情報蓄積手段で蓄積されている外部情報を基に警告を発生する警告発生手段からなることを特徴とする情報合成装置である。
【００１６】
第６の実施形態の情報合成装置によれば、外部のネットワークから入手した地理情報を道路情報に重ねて表示することができ、最新の地理情報を道路情報の上で確認することができる。さらに、ユーザの現在位置の情報を基に、ユーザに地理情報に関する警告を発することができる。
【００１７】
第７の実施形態は、道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記外部情報の変換表を蓄積する変換表蓄積手段と、前記道路情報蓄積手段で蓄積されている道路情報と前記外部情報蓄積手段で蓄積されている外部情報を前記変換表を用いて変換した情報とを合成する情報合成手段からなることを特徴とする情報合成装置である。
【００１８】
第７の実施形態の情報合成装置によれば、外部のネットワークから入手した地理情報を道路情報に重ねて表示することができ、最新の地理情報をアイコン等の画像でわかりやすく道路情報の上で確認することができる。
【００１９】
第８の実施形態は、道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記道路情報蓄積手段で蓄積されている道路情報と前記外部情報蓄積手段で蓄積されている外部情報を合成する情報合成手段と、前記情報合成手段で合成された情報を表示する情報表示手段からなることを特徴とする情報表示装置である。
【００２０】
第８の実施形態の情報表示装置によれば、外部のネットワークから入手した地理情報をユーザの現在位置とユーザの指示により選択することにより、ユーザの興味ある地理情報を道路情報に重ねて表示することができ、最新の地理情報を道路情報の上で確認することができる。
【００２１】
第９の実施形態は、道路情報を蓄積する道路情報蓄積手段と、ネットワークを介して外部情報を入手する外部情報入手手段と、必要な外部情報に対する操作をユーザが入力するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記道路情報蓄積手段で蓄積されている道路情報と前記外部情報蓄積手段で蓄積されている外部情報を合成する情報合成手段と、前記情報合成手段で合成された情報を表示する情報表示手段と、前記情報表示手段で表示された情報に対して前記ユーザ入力手段で入力された指示によって情報を発信する情報発信手段からなることを特徴とする情報表示装置である。
【００２２】
第９の実施形態の情報表示装置によれば、外部のネットワークから入手した地理情報をユーザの現在位置とユーザの指示により選択することにより、ユーザの興味ある地理情報を道路情報に重ねて表示することができ、最新の地理情報を道路情報の上で確認することができる。さらに詳しい情報を入手したい場合に、ネットワークを介してユーザは情報を要求することができる。
【００２３】
第１０の実施形態は、道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、ユーザの移動方向を検出する進行方向検出手段と、前記ユーザ入力手段のユーザ指示と前記現在位置取得手段で取得した現在位置と前記進行方向検出手段で検出された移動方向を基に外部情報を選択蓄積する外部情報蓄積手段と、前記道路情報蓄積手段で蓄積されている道路情報と前記外部情報蓄積手段で蓄積されている外部情報を合成する情報合成手段からなることを特徴とする情報合成装置である。
【００２４】
第１０の実施形態の情報合成装置によれば、外部のネットワークから入手した地理情報をユーザの現在位置とユーザの指示とユーザの進行方向により選択することにより、ユーザの興味ある地理情報を道路情報に重ねて表示することができ、最新の地理情報を道路情報の上で確認することができる。
【００２５】
第１１の実施形態は、道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記外部情報蓄積手段で蓄積されている情報を整理する情報整理手段と、前記道路情報蓄積手段で蓄積されている道路情報と前記情報整理手段で整理された外部情報を合成する情報合成手段からなることを特徴とする情報合成装置である。
【００２６】
第１１の実施形態の情報合成装置によれば、外部のネットワークから入手した地理情報をユーザの現在位置とユーザの指示により選択・整理することにより、ユーザの興味ある地理情報を道路情報に重ねてわかりやすく表示することができ、最新の地理情報を道路情報の上で確認することができる。
【００２７】
第１２の実施形態は、道路情報を蓄積する道路情報蓄積手段と、ネットワークを介して外部情報を入手する外部情報入手手段と、必要な外部情報をユーザが指示するユーザ入力手段と、ユーザの現在位置を取得する現在位置取得手段と、前記ユーザ入力手段のユーザ指示と前記現在位置取得手段で取得した現在位置を基に外部情報を選択蓄積する外部情報蓄積手段と、前記外部情報蓄積手段で蓄積されている情報を整理する情報整理手段と、前記外部情報の変換表を蓄積する変換表蓄積手段と、前記道路情報蓄積手段で蓄積されている道路情報と前記外部情報整理手段で整理された外部情報を前記変換表で変換した情報を合成する情報合成手段からなることを特徴とする情報合成装置である。
【００２８】
第１２の実施形態の情報合成装置によれば、外部のネットワークから入手した地理情報をユーザの現在位置とユーザの指示により選択・整理することにより、ユーザの興味ある地理情報のイメージを道路情報に重ねてわかりやすく表示することができ、最新の地理情報を道路情報の上で確認することができる。
【００２９】
【発明の実施の形態】
以下、本発明の実施の形態について、図を用いて説明する。
【００３０】
（実施の形態１）
図１は、第１の発明にかかる実施の一形態の情報合成装置のシステム構成図であり、同図を用いて、第１の発明について説明する。図１において、１０１は道路情報を蓄積する道路情報蓄積手段、１０２は地理情報を蓄積する地理情報蓄積手段、１０３は道路情報蓄積手段１０１で蓄積されている道路情報と地理情報蓄積手段１０２で蓄積されている地理情報とを合成する情報合成手段である。
【００３１】
以上のように構成されたシステムが実行されるハードウエア構成を図２に示す。図２は、基本的に汎用の計算機システムの構成と同じであり、図１で示したシステム構成部分として説明した、道路情報蓄積手段１０１、地理情報蓄積手段１０２を備えている。図２の構成のうち、図１のシステム構成と同じ部分に関しては、同一番号を付与し説明を省略する。図２において、２０１は処理のプログラムやデータを実行時に記憶する主記憶装置、２０２はプログラムやデータを蓄積しておく外部記憶装置、２０３は外部記憶装置２０２に記憶されているプログラムを主記憶装置２０１に転送し実行するＣＰＵである。以上のように構成された情報合成装置の動作を図３のフローチャートに沿って説明する。
【００３２】
（準備）
道路情報蓄積手段１０１において、図４に示す道路情報を蓄積する。また、地理情報蓄積手段１０２において、図５に示す地理情報を蓄積する。
【００３３】
（ステップＡ１）
図５に示す地理情報のデータを読み込む。
【００３４】
（ステップＡ２）
地理情報蓄積手段１０２において蓄積されているデータを１つ読み込み、図４の道路情報の上にマッピングする。例えば、図５の情報の例では、Id＝１の警察署のデータを読み込みマッピングする。
【００３５】
（ステップＡ３）
（ステップＡ１）で読み込んだデータが最後のデータの場合には、アルゴリズムを終了する。それ以外は、（ステップＡ２）へ戻る。
【００３６】
以上のアルゴリズムを動作させた結果、図６に示すように、道路情報上に地理情報を表示することができ、ユーザは、図５の地理情報を容易に確認することができる。本発明の情報合成装置によれば、道路情報と地理情報を独立に記憶している媒体が存在した場合に、それらの情報を座標情報を基に合成することができる。これにより、ユーザにとってわかりやすく、道路情報と地理情報を合成した情報を提供することができる。
【００３７】
なお、道路情報や地理情報を蓄積する手段は、ＩＣカード型メモリやＣＤ−ＲＯＭなどの記憶媒体を用いてもよい。
【００３８】
なお、道路情報や地理情報はネットワークを介して得られた情報を利用してもよい。
【００３９】
なお、図６の地理情報の表示は、文字情報以外のアイコンや画像情報を用いてもよい。
【００４０】
（実施の形態２）
図７は、第２の発明にかかる実施の一形態の情報合成装置のシステム構成図であり、同図を用いて、第２の発明について説明する。図７において、７０１は道路情報を蓄積する道路情報蓄積手段、７０２はネットワークを介して外部情報を入手する外部情報入手手段、７０３は道路情報蓄積手段７０１で蓄積されている道路情報と外部情報入手手段７０２で入手した情報を合成する情報合成手段である。
【００４１】
以上のように構成されたシステムが実行されるハードウエア構成を図８に示す。図８は、基本的に汎用の計算機システムの構成と同じであり、図７で示したシステム構成部分として説明した、道路情報蓄積手段７０１、外部情報蓄積手段７０３を備えている。図８の構成のうち、図７のシステム構成と同じ部分に関しては、同一番号を付与し説明を省略する。図８において、８０１は処理のプログラムやデータを実行時に記憶する主記憶装置、８０２はプログラムやデータを蓄積しておく外部記憶装置、８０３は外部記憶装置８０２に記憶されているプログラムを主記憶装置８０１に転送し実行するＣＰＵ、８０４は外部のネットワークと接続することができるモデムである。以上のように構成された情報合成装置の動作を図９のフローチャートに沿って説明する。
【００４２】
（準備）
道路情報蓄積手段７０１において、図４に示す道路情報を蓄積する。
【００４３】
（ステップＢ１）
外部情報入手手段７０２においてネットワークを介して外部情報のデータを入手する。
【００４４】
（ステップＢ２）
（ステップＢ１）で入手したデータを外部情報蓄積手段７０３で蓄積する。
【００４５】
（ステップＢ３）
外部情報蓄積手段７０３で蓄積されているデータを読み込む。
【００４６】
（ステップＢ４）
（ステップＢ３）で読み込んだ情報が最後のデータの場合には、アルゴリズムを終了する。それ以外は、（ステップＢ３）へ戻る。
【００４７】
以上のアルゴリズムを動作させた結果、図１１に示すように、道路情報上に地理情報を表示することができる。本発明の情報合成装置によれば、外部のネットワークから入手した地理情報を道路情報に重ねて表示することにより、最新の地理情報を道路情報の上で確認することができる。
【００４８】
なお、外部情報入手手段は、ＩＣカード型メモリやＣＤ−ＲＯＭや赤外線情報を入手する手段を用いてもよい。
【００４９】
なお、図１０に示す地理情報は、駐車場の情報やレストランの情報やガソリンスタンドの情報でもよい。
【００５０】
なお、図１０に示す地理情報は、駐車場の空き状況をカメラでとった画像情報を提供してもよい。
【００５１】
（実施の形態３）
図１２は、第３の発明にかかる実施の一形態の情報合成装置のシステム構成図であり、同図を用いて、第３の発明について説明する。図１２において、１２０１は道路情報を蓄積する道路情報蓄積手段、１２０２はネットワークを介して外部情報を入手する外部情報入手手段、１２０３は外部情報入手手段で入手した情報を選択するための情報を入手する選択情報入手手段、１２０４は選択情報入手手段で入手した情報を基に外部情報を選択蓄積する外部情報蓄積手段、１２０５は道路情報蓄積手段で蓄積されている道路情報と外部情報蓄積手段で蓄積されている外部情報を合成する情報合成手段である。
【００５２】
以上のように構成されたシステムが実行されるハードウエア構成を図１３に示す。図１３は、基本的に汎用の計算機システムの構成と同じであり、図１２で示したシステム構成部分として説明した、道路情報蓄積手段１２０１、外部情報蓄積手段１２０４を備えている。図１３の構成のうち、図１２のシステム構成と同じ部分に関しては、同一番号を付与し説明を省略する。図１３において、１３０１は処理のプログラムやデータを実行時に記憶する主記憶装置、１３０２はプログラムやデータを蓄積しておく外部記憶装置、１３０３は外部記憶装置１３０２に記憶されているプログラムを主記憶装置１３０１に転送し実行するＣＰＵ、１３０４は外部のネットワークと接続することができるモデムである。以上のように構成された情報合成装置の動作を図１４のフローチャートに沿って説明する。
【００５３】
（準備）
道路情報蓄積手段１２０１において、図４に示す道路情報を蓄積する。
【００５４】
（ステップＣ１）
外部情報入手手段１２０２において、ネットワークを介して情報を取り込む。例えば、図１５に示すような情報を取り込む。
【００５５】
（ステップＣ２）
（ステップＣ１）で読み込んだ情報を選択するための情報を入手する。例えば、情報を入手する日時を入手する。
【００５６】
（ステップＣ３）
選択情報入手手段１２０３の情報を基に、外部情報蓄積手段１２０４で選択し蓄積する。例えば、選択情報入手手段１２０３において、図１５の定休日が日曜日以外の情報を取得しようとした際に、図１６のような情報が外部情報蓄積手段１２０４で蓄積される。
【００５７】
（ステップＣ４）から（ステップＣ５）は、実施の形態２の（ステップＢ３）から（ステップＢ４）と同様である。
【００５８】
以上のアルゴリズムを動作させた結果、図１７に示すように、道路情報上に地理情報を表示することができる。本発明の情報合成装置によれば、外部のネットワークから入手した地理情報を外部センサからの情報で選択することにより、関連した地理情報を道路情報に重ねて表示することができ、最新の地理情報を道路情報の上で確認することができる。
【００５９】
なお、外部情報入手手段は、ＩＣカード型メモリやＣＤ−ＲＯＭや赤外線情報を入手する手段を用いてもよい。
【００６０】
なお、図１５に示す地理情報は、駐車場の情報やレストランの情報やガソリンスタンドの情報でもよい。
【００６１】
なお、図１５に示す地理情報は、駐車場の空き状況をカメラでとった画像情報を提供してもよい。
【００６２】
（実施の形態４）
図１８は、第４の発明にかかる実施の一形態の情報合成装置のシステム構成図であり、同図を用いて、第４の発明について説明する。図１８において、１８０１は道路情報を蓄積する道路情報蓄積手段、１８０２はネットワークを介して外部情報を入手する外部情報入手手段、１８０３は必要な外部情報をユーザが指示するユーザ入力手段、１８０４はユーザ入力手段で選択された外部情報を選択蓄積する外部情報蓄積手段、１８０５は道路情報蓄積手段で蓄積されている道路情報と外部情報蓄積手段で蓄積されている外部情報を合成する情報合成手段である。
【００６３】
以上のように構成されたシステムが実行されるハードウエア構成を図１９に示す。図１９は、基本的に汎用の計算機システムの構成と同じであり、図１８で示したシステム構成部分として説明した、道路情報蓄積手段１８０１、外部情報蓄積手段１８０４を備えている。図１９の構成のうち、図１８のシステム構成と同じ部分に関しては、同一番号を付与し説明を省略する。図１９において、１９０１は処理のプログラムやデータを実行時に記憶する主記憶装置、１９０２はプログラムやデータを蓄積しておく外部記憶装置、１９０３は外部記憶装置１９０２に記憶されているプログラムを主記憶装置１９０１に転送し実行するＣＰＵ、１９０４は外部のネットワークと接続することができるモデムである。以上のように構成された情報合成装置の動作を図２０のフローチャートに沿って説明する。
【００６４】
（準備）
道路情報蓄積手段１８０１において、図４に示す道路情報を蓄積する。
【００６５】
（ステップＤ１）
外部情報入手手段１８０２において、ネットワークを介して情報を取り込む。例えば、図１５に示すような情報を取り込む。
【００６６】
（ステップＤ２）
（ステップＤ１）で読み込んだ情報を選択するための情報をユーザが入力する。例えば、種別が「レストラン」または「酒屋」というユーザの選択情報を入力する。
【００６７】
（ステップＤ３）
（ステップＤ１）で読み込んだ情報をユーザ選択手段１８０３で入力されたユーザの選択情報を基に、外部情報蓄積手段１８０４で選択し蓄積する。（ステップＤ２）において、種別が「レストラン」または「酒屋」というユーザの選択情報が入力された場合に、図１６のような情報が外部情報蓄積手段１８０４で蓄積される。
【００６８】
（ステップＤ４）から（ステップＤ５）は、実施の形態２の（ステップＢ３）から（ステップＢ４）と同様である。
【００６９】
以上のアルゴリズムを動作させた結果、図１７に示すように、道路情報上に地理情報を表示することができる。本発明の情報合成装置によれば、外部のネットワークから入手した地理情報をユーザの指示により選択することにより、ユーザにとって興味ある地理情報を道路情報に重ねて表示することができ、最新の地理情報を道路情報の上で確認することができる。
【００７０】
なお、外部情報入手手段は、ＩＣカード型メモリやＣＤ−ＲＯＭや赤外線情報を入手する手段を用いてもよい。
【００７１】
なお、図１５に示す地理情報は、駐車場の情報やレストランの情報やガソリンスタンドの情報でもよい。
【００７２】
なお、図１５に示す地理情報は、駐車場の空き状況をカメラでとった画像情報を提供してもよい。
【００７３】
（実施の形態５）
図２１は、第５の発明にかかる実施の一形態の情報合成装置のシステム構成図であり、同図を用いて、第５の発明について説明する。図２１において、２１０１は道路情報を蓄積する道路情報蓄積手段、２１０２はネットワークを介して外部情報を入手する外部情報入手手段、２１０３はユーザの現在位置を取得する現在位置取得手段、２１０４は現在位置取得手段２１０３で取得した現在位置を基に外部情報を選択蓄積する外部情報蓄積手段、２１０５は道路情報蓄積手段で蓄積されている道路情報と外部情報蓄積手段で蓄積されている外部情報を合成する情報合成手段である。
【００７４】
以上のように構成されたシステムが実行されるハードウエア構成を図２２に示す。図２２は、基本的に汎用の計算機システムの構成と同じであり、図２１で示したシステム構成部分として説明した、道路情報蓄積手段２１０１、外部情報蓄積手段２１０４を備えている。図２２の構成のうち、図２１のシステム構成と同じ部分に関しては、同一番号を付与し説明を省略する。図２２において、２２０１は処理のプログラムやデータを実行時に記憶する主記憶装置、２２０２はプログラムやデータを蓄積しておく外部記憶装置、２２０３は外部記憶装置２２０２に記憶されているプログラムを主記憶装置２２０１に転送し実行するＣＰＵ、２２０４は外部のネットワークと接続することができるモデム、２２０５はユーザの現在位置を検出できるＧＰＳである。以上のように構成された情報合成装置の動作を図２３のフローチャートに沿って説明する。
【００７５】
（準備）
道路情報蓄積手段２１０１において、図４に示す道路情報を蓄積する。
【００７６】
（ステップＥ１）
外部情報入手手段２１０２において、ネットワークを介して情報を取り込む。例えば、図１５に示すような情報を取り込む。
【００７７】
（ステップＥ２）
現在位置取得手段２１０３において、ユーザの現在位置を取得する。
【００７８】
（ステップＥ３）
（ステップＥ１）で読み込んだ情報を現在位置取得手段２１０３で取得した現在位置を基に、外部情報蓄積手段２１０４で選択し蓄積する。例えば、現在位置取得手段２１０３において、ユーザの現在位置が（３７，１３４）という位置情報が取得されたとする。この場合に、図１６に示すように、（３７、１３４）の位置に近い地理情報として、図１５のId＝１，３の情報が選択され、外部情報蓄積手段２１０４で蓄積される。
【００７９】
（ステップＥ４）から（ステップＥ５）は、実施の形態２の（ステップＢ３）から（ステップＢ４）と同様である。
【００８０】
以上のアルゴリズムを動作させた結果、図１７に示すように、道路情報上に地理情報を合成することができる。本発明の情報合成装置によれば、外部のネットワークから入手した地理情報をユーザの現在位置により選択することにより、ユーザの現在位置に関連する地理情報を道路情報に重ねて表示することができ、最新の地理情報を道路情報の上で確認することができる。
【００８１】
なお、外部情報入手手段は、ＩＣカード型メモリやＣＤ−ＲＯＭや赤外線情報を入手する手段を用いてもよい。
【００８２】
なお、図１５に示す地理情報は、駐車場の情報やレストランの情報やガソリンスタンドの情報でもよい。
【００８３】
なお、図１５に示す地理情報は、駐車場の空き状況をカメラでとった画像情報を提供してもよい。
【００８４】
（実施の形態６）
図２４は、第６の発明にかかる実施の一形態の情報合成装置のシステム構成図であり、同図を用いて、第６の発明について説明する。図２４において、２４０１は道路情報を蓄積する道路情報蓄積手段、２４０２はネットワークを介して外部情報を入手する外部情報入手手段、２４０３は必要な外部情報をユーザが指示するユーザ入力手段、２４０４はユーザの現在位置を取得する現在位置取得手段、２４０５はユーザの現在位置を取得する現在位置取得手段、２４０６はユーザ入力手段のユーザ指示と現在位置取得手段で取得した現在位置を基に外部情報を選択蓄積する外部情報蓄積手段、２４０７は道路情報蓄積手段で蓄積されている道路情報と外部情報蓄積手段で蓄積されている外部情報を合成する情報合成手段、２４０８は現在位置取得手段の現在位置と外部情報蓄積手段で蓄積されている外部情報を基に警告を発生する警告発生手段である。
【００８５】
以上のように構成されたシステムが実行されるハードウエア構成を図２５に示す。図２５は、基本的に汎用の計算機システムの構成と同じであり、図２４で示したシステム構成部分として説明した、道路情報蓄積手段２４０１、外部情報蓄積手段２４０５を備えている。図２５の構成のうち、図２４のシステム構成と同じ部分に関しては、同一番号を付与し説明を省略する。図２５において、２５０１は処理のプログラムやデータを実行時に記憶する主記憶装置、２５０２はプログラムやデータを蓄積しておく外部記憶装置、２５０３は外部記憶装置２５０２に記憶されているプログラムを主記憶装置２５０１に転送し実行するＣＰＵ、２５０４は外部のネットワークと接続することができるモデム、２５０５はユーザの現在位置を検出できるＧＰＳ、２５０６はユーザに対して警告音や音声を発生できるスピーカである。以上のように構成された情報合成装置の動作を図２６のフローチャートに沿って説明する。
【００８６】
（準備）
道路情報蓄積手段２４０１において、図４に示す道路情報を蓄積する。
【００８７】
（ステップＦ１）
外部情報入手手段２４０２において、ネットワークを介して情報を取り込む。例えば、図１５に示すような情報を取り込む。
【００８８】
（ステップＦ２）
（ステップＦ１）で読み込んだ情報を選択するための情報をユーザが入力する。例えば、種別が「レストラン」または「酒屋」というユーザの選択情報が入力する。
【００８９】
（ステップＦ３）
現在位置取得手段２４０４において、ユーザの現在位置を取得する。
【００９０】
（ステップＦ４）
（ステップＦ１）で読み込んだ情報を現在位置取得手段２４０４で取得した現在位置とユーザ入力手段２４０３で入力されたユーザの指示を基に、外部情報蓄積手段２４０５で選択し蓄積する。例えば、現在位置取得手段２４０４において、ユーザの現在位置が（３７，１３４）という位置情報が取得されたとする。この場合に、図１６に示すように、（３７、１３４）の位置に近い地理情報として、図１５のId＝１，３の情報が選択され、外部情報蓄積手段２４０５で蓄積される。
【００９１】
（ステップＦ５）から（ステップＦ６）は、実施の形態２の（ステップＢ３）から（ステップＢ４）と同様である。
【００９２】
（ステップＦ７）
ユーザの現在位置と外部情報蓄積手段で蓄積されている所在地の情報との距離を計算する。
【００９３】
（ステップＦ８）
（ステップＦ７）で計算した距離がしきい値より小さいかを判断する。
【００９４】
（ステップＦ９）
（ステップＦ８）を満足するデータがある場合には、警告音を発生する。
【００９５】
以上のアルゴリズムを動作させた結果、図１７に示すように、道路情報上に地理情報を合成することができ、ユーザが表示されている地理情報に近づいた場合に、ユーザに警告音で知らせることができる。
【００９６】
なお、外部情報入手手段は、ＩＣカード型メモリやＣＤ−ＲＯＭや赤外線情報を入手する手段を用いてもよい。
【００９７】
なお、図１５に示す地理情報は、駐車場の情報やレストランの情報やガソリンスタンドの情報でもよい。
【００９８】
なお、図１５に示す地理情報は、駐車場の空き状況をカメラでとった画像情報を提供してもよい。
【００９９】
（実施の形態７）
図２７は、第７の発明にかかる実施の一形態の情報合成装置のシステム構成図であり、同図を用いて、第７の発明について説明する。図２７において、２７０１は道路情報を蓄積する道路情報蓄積手段、２７０２はネットワークを介して外部情報を入手する外部情報入手手段、２７０３は必要な外部情報をユーザが指示するユーザ入力手段、２７０４はユーザの現在位置を取得する現在位置取得手段、２７０５はユーザ入力手段のユーザ指示と現在位置取得手段で取得した現在位置を基に外部情報を選択蓄積する外部情報蓄積手段、２７０６は外部情報の変換表を蓄積する変換表蓄積手段、２７０７は道路情報蓄積手段で蓄積されている道路情報と外部情報蓄積手段で蓄積されている外部情報を変換表を用いて変換した情報を合成する情報合成手段である。
【０１００】
以上のように構成されたシステムが実行されるハードウエア構成を図２８に示す。図２８は、基本的に汎用の計算機システムの構成と同じであり、図２７で示したシステム構成部分として説明した、道路情報蓄積手段２７０１、外部情報蓄積手段２７０５、変換表蓄積手段２７０６を備えている。図２８の構成のうち、図２７のシステム構成と同じ部分に関しては、同一番号を付与し説明を省略する。図２８において、２８０１は処理のプログラムやデータを実行時に記憶する主記憶装置、２８０２はプログラムやデータを蓄積しておく外部記憶装置、２８０３は外部記憶装置２８０２に記憶されているプログラムを主記憶装置２８０１に転送し実行するＣＰＵ、２８０４は外部のネットワークと接続することができるモデム、２８０５はユーザの現在位置を検出できるＧＰＳである。以上のように構成された情報合成装置の動作を図２９のフローチャートに沿って説明する。
【０１０１】
（準備）
道路情報蓄積手段２７０１において、図４に示す道路情報を蓄積する。変換表蓄積手段２７０６において、図３０に示す変換表を蓄積する。
【０１０２】
（ステップＧ１）
外部情報入手手段２７０２において、ネットワークを介して情報を取り込む。例えば、図１５に示すような情報を取り込む。
【０１０３】
（ステップＧ２）
（ステップＧ１）で読み込んだ情報を選択するための情報をユーザが入力する。例えば、種別が「レストラン」または「酒屋」というユーザの選択情報が入力する。
【０１０４】
（ステップＧ３）
現在位置取得手段２７０４において、ユーザの現在位置を取得する。
【０１０５】
（ステップＧ４）
（ステップＧ１）で読み込んだ情報を現在位置取得手段２７０４で取得した現在位置とユーザ入力手段２７０３で入力されたユーザの指示を基に、外部情報蓄積手段２７０５で選択し蓄積する。例えば、現在位置取得手段２７０４において、ユーザの現在位置が（３７，１３４）という位置情報が取得されたとする。この場合に、図１６に示すように、（３７、１３４）の位置に近い地理情報として、図１５のId＝１，３の情報が選択され、外部情報蓄積手段２７０５で蓄積される。
【０１０６】
（ステップＧ５）
１つのデータを読み込み、変換表蓄積手段２７０６で蓄積されている情報を用いて外部情報蓄積手段２７０５で蓄積されている図１６の情報を種別に応じて、図３０の画像を用いて地図上に表示する。
【０１０７】
（ステップＧ６）
最後のデータの場合にはアルゴリズムを終了する。それ以外は、（ステップＧ５）に戻る。
【０１０８】
以上のアルゴリズムを動作させた結果、図３１に示すように、道路情報上に図３０で変換された地理情報を合成することができる。本発明の情報合成装置によれば、外部のネットワークから入手した地理情報を道路情報に重ねて表示することができ、最新の地理情報をアイコン等の画像でわかりやすく道路情報の上で確認することができる。
【０１０９】
なお、外部情報入手手段は、ＩＣカード型メモリやＣＤ−ＲＯＭや赤外線情報を入手する手段を用いてもよい。
【０１１０】
なお、図１５に示す地理情報は、駐車場の情報やレストランの情報やガソリンスタンドの情報でもよい。
【０１１１】
なお、図１５に示す地理情報は、駐車場の空き状況をカメラでとった画像情報を提供してもよい。
【０１１２】
（実施の形態８）
図３２は、第８の発明にかかる実施の一形態の情報合成装置のシステム構成図であり、同図を用いて、第８の発明について説明する。図３２において、３２０１は道路情報を蓄積する道路情報蓄積手段、３２０２はネットワークを介して外部情報を入手する外部情報入手手段、３２０３は必要な外部情報をユーザが指示するユーザ入力手段、３２０４はユーザの現在位置を取得する現在位置取得手段、３２０５はユーザ入力手段のユーザ指示と現在位置取得手段で取得した現在位置を基に外部情報を選択蓄積する外部情報蓄積手段、３２０６は道路情報蓄積手段で蓄積されている道路情報と外部情報蓄積手段で蓄積されている外部情報を合成する情報合成手段、３２０７は情報合成手段で合成された情報を表示する情報表示手段である。
【０１１３】
以上のように構成されたシステムが実行されるハードウエア構成を図３３に示す。図３３は、基本的に汎用の計算機システムの構成と同じであり、図３２で示したシステム構成部分として説明した、道路情報蓄積手段３２０１、外部情報蓄積手段３２０５を備えている。図３３の構成のうち、図３２のシステム構成と同じ部分に関しては、同一番号を付与し説明を省略する。図３３において、３３０１はディスプレイ等により情報を表示する表示装置、３３０２は表示装置３３０１に表示されるデータを記憶するＶＲＡＭ、３３０３は処理のプログラムやデータを実行時に記憶する主記憶装置、３３０４はプログラムやデータを蓄積しておく外部記憶装置、３３０５は外部記憶装置３３０４に記憶されているプログラムを主記憶装置３３０３に転送し実行するＣＰＵ、３３０６は外部のネットワークと接続することができるモデム、３３０７はユーザの現在位置を検出できるＧＰＳである。以上のように構成された情報表示装置の動作を図３４のフローチャートに沿って説明する。
【０１１４】
（準備）
道路情報蓄積手段３２０１において、図４に示す道路情報を蓄積する。
【０１１５】
（ステップＨ１）
外部情報入手手段３２０２において、ネットワークを介して情報を取り込む。例えば、図１５に示すような情報を取り込む。
【０１１６】
（ステップＨ２）
（ステップＨ１）で読み込んだ情報を選択するための情報をユーザが入力する。例えば、種別が「レストラン」または「酒屋」というユーザの選択情報が入力する。
【０１１７】
（ステップＨ３）
現在位置取得手段３２０４において、ユーザの現在位置を取得する。
【０１１８】
（ステップＨ４）
（ステップＨ１）で読み込んだ情報を現在位置取得手段３２０４で取得した現在位置とユーザ入力手段３２０３で入力されたユーザの指示を基に、外部情報蓄積手段３２０５で選択し蓄積する。例えば、現在位置取得手段３２０４において、ユーザの現在位置が（３７，１３４）という位置情報が取得されたとする。この場合に、図１６に示すように、（３７、１３４）の位置に近い地理情報として、図１５のId＝１，３の情報が選択され、外部情報蓄積手段３２０５で蓄積される。
【０１１９】
（ステップＨ５）から（ステップＨ６）は、実施の形態２の（ステップＢ３）から（ステップＢ４）と同様である。
【０１２０】
（ステップＨ７）
（ステップＨ５）（ステップＨ６）で合成された情報を情報表示手段３２０７で表示する。
【０１２１】
以上のアルゴリズムを動作させた結果、図１７に示すように、道路情報上に地理情報を表示することができる。本発明の情報表示装置によれば、外部のネットワークから入手した地理情報をユーザの現在位置とユーザの指示により選択することにより、ユーザの興味ある地理情報を道路情報に重ねて表示することができ、最新の地理情報を道路情報の上で確認することができる。
【０１２２】
なお、外部情報入手手段は、ＩＣカード型メモリやＣＤ−ＲＯＭや赤外線情報を入手する手段を用いてもよい。
【０１２３】
なお、図１５に示す地理情報は、駐車場の情報やレストランの情報やガソリンスタンドの情報でもよい。
【０１２４】
なお、図１５に示す地理情報は、駐車場の空き状況をカメラでとった画像情報を提供してもよい。
【０１２５】
（実施の形態９）
図３５は、第９の発明にかかる実施の一形態の情報合成装置のシステム構成図であり、同図を用いて、第９の発明について説明する。図３５において、３５０１は道路情報を蓄積する道路情報蓄積手段、３５０２はネットワークを介して外部情報を入手する外部情報入手手段、３５０３は必要な外部情報をユーザが入力するユーザ入力手段、３５０４はユーザの現在位置を取得する現在位置取得手段、３５０５はユーザ入力手段３５０３のユーザ指示と現在位置取得手段３５０４で取得した現在位置を基に外部情報を選択蓄積する外部情報蓄積手段、３５０６は道路情報蓄積手段で蓄積されている道路情報と外部情報蓄積手段で蓄積されている外部情報を合成する情報合成手段、３５０７は情報合成手段で合成された情報を表示する情報表示手段、３５０８は情報表示手段で表示された情報に対してユーザ入力手段３５０３で入力された指示によって情報を発信する情報発信手段である。
【０１２６】
以上のように構成されたシステムが実行されるハードウエア構成を図３６に示す。図３６は、基本的に汎用の計算機システムの構成と同じであり、図３５で示したシステム構成部分として説明した、道路情報蓄積手段３５０１、外部情報蓄積手段３５０５を備えている。図３６の構成のうち、図３５のシステム構成と同じ部分に関しては、同一番号を付与し説明を省略する。図３６において、３６０１はディスプレイ等により情報を表示する表示装置、３６０２は表示装置３６０１に表示されるデータを記憶するＶＲＡＭ、３６０３は処理のプログラムやデータを実行時に記憶する主記憶装置、３６０４はプログラムやデータを蓄積しておく外部記憶装置、３６０５は外部記憶装置３６０４に記憶されているプログラムを主記憶装置３６０３に転送し実行するＣＰＵ、３６０６は外部のネットワークと接続することができるモデム、３６０７はユーザの現在位置を検出できるＧＰＳである。以上のように構成された情報表示装置の動作を図３７のフローチャートに沿って説明する。
【０１２７】
（準備）
道路情報蓄積手段３５０１において、図４に示す道路情報を蓄積する。
【０１２８】
（ステップＩ１）
外部情報入手手段３５０２において、ネットワークを介して情報を取り込む。例えば、図１５に示すような情報を取り込む。
【０１２９】
（ステップＩ２）
（ステップＩ１）で読み込んだ情報を選択するための情報をユーザが入力する。例えば、種別が「レストラン」または「酒屋」というユーザの選択情報が入力する。
【０１３０】
（ステップＩ３）
現在位置取得手段３５０４において、ユーザの現在位置を取得する。
【０１３１】
（ステップＩ４）
（ステップＩ１）で読み込んだ情報を現在位置取得手段３５０４で取得した現在位置とユーザ入力手段３５０３で入力されたユーザの指示を基に、外部情報蓄積手段３５０５で選択し蓄積する。例えば、現在位置取得手段３５０３において、ユーザの現在位置が（３７，１３４）という位置情報が取得されたとする。この場合に、図１６に示すように、（３７、１３４）の位置に近い地理情報として、図１５のId＝１，３の情報が選択され、外部情報蓄積手段２１０４で蓄積される。
【０１３２】
（ステップＩ５）から（ステップＩ６）は、実施の形態２の（ステップＢ３）から（ステップＢ４）と同様である。
【０１３３】
（ステップＩ７）
（ステップＩ５）（ステップＩ６）で合成された情報を情報表示手段３５０７で表示する。
【０１３４】
（ステップＩ８）
ユーザ入力手段３５０３において、３５０７に表示された情報に対して情報要求の指示を入力する。例えば、「お食事や」をポインティングデバイスで指定した場合に、図３８に示すようなメニューが提示される。
【０１３５】
（ステップＩ９）
情報発信手段３５０８において、（ステップＩ７）で要求された情報を入手するために、ネットワークを介して情報を取り込む。例えば、（ステップＩ７）において、図１７のように表示された情報に対して「お食事や」を選択し、「メニュー入手」という情報要求を入力した場合に、それらの情報が入手できる。
【０１３６】
以上のアルゴリズムを動作させた結果、図３８に示すように、道路情報上に表示された地理情報を指定することにより情報要求意図を発信することができる。本発明の情報表示装置によれば、外部のネットワークから入手した地理情報をユーザの現在位置とユーザの指示により選択することにより、ユーザの興味ある地理情報を道路情報に重ねて表示することができ、最新の地理情報を道路情報の上で確認することができる。さらに詳しい情報を入手したい場合に、ネットワークを介してユーザは情報を要求することができる。
【０１３７】
なお、外部情報入手手段は、ＩＣカード型メモリやＣＤ−ＲＯＭや赤外線情報を入手する手段を用いてもよい。
【０１３８】
なお、図１５に示す地理情報は、駐車場の情報やレストランの情報やガソリンスタンドの情報でもよい。
【０１３９】
なお、図１５に示す地理情報は、駐車場の空き状況をカメラでとった画像情報を提供してもよい。
【０１４０】
（実施の形態１０）
図３９は、第１０の発明にかかる実施の一形態の情報合成装置のシステム構成図であり、同図を用いて、第１０の発明について説明する。図３９において、３９０１は道路情報を蓄積する道路情報蓄積手段、３９０２はネットワークを介して外部情報を入手する外部情報入手手段、３９０３は必要な外部情報をユーザが入力するユーザ入力手段、３９０４はユーザの現在位置を取得する現在位置取得手段、３９０５はユーザの移動方向を検出する進行方向検出手段と、３９０６はユーザ入力手段のユーザ指示と現在位置取得手段で取得した現在位置と進行方向検出手段で検出された移動方向を基に外部情報を選択蓄積する外部情報蓄積手段、３９０７は道路情報蓄積手段で蓄積されている道路情報と外部情報蓄積手段で蓄積されている外部情報を合成する情報合成手段である。
【０１４１】
以上のように構成されたシステムが実行されるハードウエア構成を図４０に示す。図４０は、基本的に汎用の計算機システムの構成と同じであり、図３９で示したシステム構成部分として説明した、道路情報蓄積手段３９０１、外部情報蓄積手段３９０５を備えている。図４０の構成のうち、図３９のシステム構成と同じ部分に関しては、同一番号を付与し説明を省略する。図４０において、４００１は処理のプログラムやデータを実行時に記憶する主記憶装置、４００２はプログラムやデータを蓄積しておく外部記憶装置、４００３は外部記憶装置４００２に記憶されているプログラムを主記憶装置４００１に転送し実行するＣＰＵ、４００４は外部のネットワークと接続することができるモデム、４００５はユーザの現在位置を検出できるＧＰＳである。以上のように構成された情報表示装置の動作を図４１のフローチャートに沿って説明する。
【０１４２】
（準備）
道路情報蓄積手段３９０１において、図４に示す道路情報を蓄積する。
【０１４３】
（ステップＪ１）
外部情報入手手段３９０２において、ネットワークを介して情報を取り込む。例えば、図４２に示すような情報を取り込む。
【０１４４】
（ステップＪ２）
（ステップＪ１）で読み込んだ情報を選択するための情報をユーザが入力する。
【０１４５】
（ステップＪ３）
現在位置取得手段３９０４において、ユーザの現在位置を取得する。
【０１４６】
（ステップＪ４）
進行方向検出手段３９０５において、ユーザの現在の進行方向を検出する。
【０１４７】
（ステップＪ５）
（ステップＪ１）で読み込んだ情報を現在位置取得手段３９０４で取得した現在位置とユーザ入力手段３９０３で入力されたユーザの指示と進行方向検出手段３９０５で検出された進行方向を基に、外部情報蓄積手段３９０５で選択し蓄積する。
【０１４８】
（ステップＪ６）から（ステップＪ７）は、実施の形態２の（ステップＢ３）から（ステップＢ４）と同様である。
【０１４９】
以上のアルゴリズムを動作させた結果、図４４に示すように、道路情報上に地理情報を合成することができる。（ステップＪ１）で入手した情報をすべて提示すると、図４３のように、進行方向とは逆の車線のガソリンスタンドまで表示してしまう。本発明の情報合成装置によれば、外部のネットワークから入手した地理情報をユーザの現在位置とユーザの指示とユーザの進行方向により選択することにより、ユーザの興味ある地理情報を道路情報に重ねて表示することができ、最新の地理情報を道路情報の上で確認することができる。
【０１５０】
なお、外部情報入手手段は、ＩＣカード型メモリやＣＤ−ＲＯＭや赤外線情報を入手する手段を用いてもよい。
【０１５１】
なお、図４２に示す地理情報は、駐車場の情報やレストランの情報でもよい。
なお、図４２に示す地理情報は、駐車場の空き状況をカメラでとった画像情報を提供してもよい。
【０１５２】
（実施の形態１１）
図４５は、第１１の発明にかかる実施の一形態の情報合成装置のシステム構成図であり、同図を用いて、第１１の発明について説明する。図４５において、４５０１は道路情報を蓄積する道路情報蓄積手段、４５０２はネットワークを介して外部情報を入手する外部情報入手手段、４５０３は必要な外部情報をユーザが入力するユーザ入力手段、４５０４はユーザの現在位置を取得する現在位置取得手段、４５０５はユーザ入力手段のユーザ指示と現在位置取得手段で取得した現在位置を基に外部情報を選択蓄積する外部情報蓄積手段、４５０６は外部情報蓄積手段で蓄積されている情報を整理する情報整理手段、４５０７は道路情報蓄積手段で蓄積されている道路情報と情報整理手段で整理された外部情報を合成する情報合成手段である。
【０１５３】
以上のように構成されたシステムが実行されるハードウエア構成を図４６に示す。図４６は、基本的に汎用の計算機システムの構成と同じであり、図４５で示したシステム構成部分として説明した、道路情報蓄積手段４５０１、外部情報蓄積手段４５０５を備えている。図４６の構成のうち、図４５のシステム構成と同じ部分に関しては、同一番号を付与し説明を省略する。図４６において、４６０１は処理のプログラムやデータを実行時に記憶する主記憶装置、４６０２はプログラムやデータを蓄積しておく外部記憶装置、４６０３は外部記憶装置４６０２に記憶されているプログラムを主記憶装置４６０１に転送し実行するＣＰＵ、４６０４は外部のネットワークと接続することができるモデム、４６０５はユーザの現在位置を検出できるＧＰＳである。以上のように構成された情報表示装置の動作を図４７のフローチャートに沿って説明する。
【０１５４】
（準備）
道路情報蓄積手段４５０１において、図４に示す道路情報を蓄積する。
【０１５５】
（ステップＫ１）
外部情報入手手段４５０２において、ネットワークを介して情報を取り込む。例えば、図４２に示すような情報を取り込む。
【０１５６】
（ステップＫ２）
（ステップＫ１）で読み込んだ情報を選択するための情報をユーザが入力する。
【０１５７】
（ステップＫ３）
現在位置取得手段３９０４において、ユーザの現在位置を取得する。
【０１５８】
（ステップＫ４）
（ステップＫ１）で読み込んだ情報を現在位置取得手段４５０４で取得した現在位置とユーザ入力手段４５０３で入力されたユーザの指示を基に、外部情報蓄積手段４５０５で選択し蓄積する。
【０１５９】
（ステップＫ５）
（ステップＫ４）で蓄積された情報を整理する。例えば、図４２のような情報が蓄積されている場合、ガソリン単価の安いガソリンスタンドの順に並び替える。
【０１６０】
（ステップＫ６）
１つのデータを読み込み地図上に表示する。ただし、はじめに表示する情報ほど大きいフォントを用いて表示する。
【０１６１】
（ステップＫ７）
最後のデータの場合にはアルゴリズムを終了する。それ以外は、（ステップＫ６）に戻る。
【０１６２】
以上のアルゴリズムを動作させた結果、図４８に示すように、道路情報上に地理情報を合成することができる。本発明の情報合成装置によれば、外部のネットワークから入手した地理情報をユーザの現在位置とユーザの指示により選択・整理することにより、ユーザの興味ある地理情報を道路情報に重ねてわかりやすく表示することができ、最新の地理情報を道路情報の上で確認することができる。
【０１６３】
なお、外部情報入手手段は、ＩＣカード型メモリやＣＤ−ＲＯＭや赤外線情報を入手する手段を用いてもよい。
【０１６４】
なお、図４２に示す地理情報は、駐車場の情報やレストランの情報でもよい。
なお、図４２に示す地理情報は、駐車場の空き状況をカメラでとった画像情報を提供してもよい。
【０１６５】
（実施の形態１２）
図４９は、第１２の発明にかかる実施の一形態の情報合成装置のシステム構成図であり、同図を用いて、第１２の発明について説明する。図４９において、４９０１は道路情報を蓄積する道路情報蓄積手段、４９０２はネットワークを介して外部情報を入手する外部情報入手手段、４９０３は必要な外部情報をユーザが入力するユーザ入力手段、４９０４はユーザの現在位置を取得する現在位置取得手段、４９０５はユーザ入力手段のユーザ指示と現在位置取得手段で取得した現在位置を基に外部情報を選択蓄積する外部情報蓄積手段、４９０６は外部情報蓄積手段で蓄積されている情報を整理する情報整理手段、４９０７は外部情報の変換表を蓄積する変換表蓄積手段、４９０８は道路情報蓄積手段で蓄積されている道路情報と外部情報整理手段で整理された外部情報を変換表で変換した情報を合成する情報合成手段である。
【０１６６】
以上のように構成されたシステムが実行されるハードウエア構成を図５０に示す。図５０は、基本的に汎用の計算機システムの構成と同じであり、図４９で示したシステム構成部分として説明した、道路情報蓄積手段４９０１、外部情報蓄積手段４９０５、変換表蓄積手段４９０７を備えている。図５０の構成のうち、図４９のシステム構成と同じ部分に関しては、同一番号を付与し説明を省略する。図５０において、５００１は処理のプログラムやデータを実行時に記憶する主記憶装置、５００２はプログラムやデータを蓄積しておく外部記憶装置、５００３は外部記憶装置５００２に記憶されているプログラムを主記憶装置５００１に転送し実行するＣＰＵ、５００４は外部のネットワークと接続することができるモデム、５００５はユーザの現在位置を検出できるＧＰＳである。以上のように構成された情報合成装置の動作を図５１のフローチャートに沿って説明する。
【０１６７】
（準備）
道路情報蓄積手段４９０１において、図４に示す道路情報を蓄積する。また、変換表蓄積手段４９０７において、図５２に示す変換表を蓄積する。
【０１６８】
（ステップＬ１）
外部情報入手手段４９０２において、ネットワークを介して情報を取り込む。例えば、図４２に示すような情報を取り込む。
【０１６９】
（ステップＬ２）
（ステップＬ１）で読み込んだ情報を選択するための情報をユーザが入力する。
【０１７０】
（ステップＬ３）
現在位置取得手段４９０４において、ユーザの現在位置を取得する。
【０１７１】
（ステップＬ４）
（ステップＬ１）で読み込んだ情報を現在位置取得手段４９０４で取得した現在位置とユーザ入力手段４９０３で入力されたユーザの指示を基に、外部情報蓄積手段４９０５で選択し蓄積する。
【０１７２】
（ステップＬ５）
（ステップＬ４）で蓄積された情報を整理する。例えば、図４２のような情報が蓄積されている場合、ガソリン単価の安いガソリンスタンドの順に並び替える。
【０１７３】
（ステップＬ６）
１つのデータを読み込み、変換表蓄積手段４９０７で蓄積されている情報を用いてガソリンスタンドの景品情報を画像を用いて地図上に表示する。
【０１７４】
（ステップＬ７）
最後のデータの場合にはアルゴリズムを終了する。それ以外は、（ステップＬ６）に戻る。
【０１７５】
以上のアルゴリズムを動作させた結果、図５３に示すように、道路情報上に地理情報を合成することができる。本発明の情報合成装置によれば、外部のネットワークから入手した地理情報をユーザの現在位置とユーザの指示により選択・整理することにより、ユーザの興味ある地理情報のイメージを道路情報に重ねてわかりやすく表示することができ、最新の地理情報を道路情報の上で確認することができる。
【０１７６】
なお、外部情報入手手段は、ＩＣカード型メモリやＣＤ−ＲＯＭや赤外線情報を入手する手段を用いてもよい。
【０１７７】
なお、図４２に示す地理情報は、駐車場の情報やレストランの情報でもよい。
なお、図４２に示す地理情報は、駐車場の空き状況をカメラでとった画像情報を提供してもよい。
【０１７８】
第１の実施形態の情報合成装置によれば、道路情報と地理情報を独立に記憶している媒体が存在した場合に、それらの情報を座標情報を基に合成することができる。これにより、ユーザにとってわかりやすく、道路情報と地理情報を合成した情報を提供することができる。
【０１７９】
第２の実施形態の情報合成装置によれば、外部のネットワークから入手した地理情報を道路情報に重ねて表示することにより、最新の地理情報を道路情報の上で確認することができる。
【０１８０】
第３の実施形態の情報合成装置によれば、外部のネットワークから入手した地理情報を外部センサからの情報で選択することにより、関連した地理情報を道路情報に重ねて表示することができ、最新の地理情報を道路情報の上で確認することができる。
【０１８１】
第４の実施形態の情報合成装置によれば、外部のネットワークから入手した地理情報をユーザの指示により選択することにより、ユーザにとって興味ある地理情報を道路情報に重ねて表示することができ、最新の地理情報を道路情報の上で確認することができる。
【０１８２】
第５の実施形態の情報合成装置によれば、外部のネットワークから入手した地理情報をユーザの現在位置により選択することにより、ユーザの現在位置に関連する地理情報を道路情報に重ねて表示することができ、最新の地理情報を道路情報の上で確認することができる。
【０１８３】
第６の実施形態の情報合成装置によれば、外部のネットワークから入手した地理情報を道路情報に重ねて表示することができ、最新の地理情報を道路情報の上で確認することができる。さらに、ユーザの現在位置の情報を基に、ユーザに地理情報に関する警告を発することができる。
【０１８４】
第７の実施形態の情報合成装置によれば、外部のネットワークから入手した地理情報を道路情報に重ねて表示することができ、最新の地理情報をアイコン等の画像でわかりやすく道路情報の上で確認することができる。
【０１８５】
第８の実施形態の情報表示装置によれば、外部のネットワークから入手した地理情報をユーザの現在位置とユーザの指示により選択することにより、ユーザの興味ある地理情報を道路情報に重ねて表示することができ、最新の地理情報を道路情報の上で確認することができる。
【０１８６】
第９の実施形態の情報表示装置によれば、外部のネットワークから入手した地理情報をユーザの現在位置とユーザの指示により選択することにより、ユーザの興味ある地理情報を道路情報に重ねて表示することができ、最新の地理情報を道路情報の上で確認することができる。さらに詳しい情報を入手したい場合に、ネットワークを介してユーザは情報を要求することができる。
【０１８７】
第１０の実施形態の情報合成装置によれば、外部のネットワークから入手した地理情報をユーザの現在位置とユーザの指示とユーザの進行方向により選択することにより、ユーザの興味ある地理情報を道路情報に重ねて表示することができ、最新の地理情報を道路情報の上で確認することができる。
【０１８８】
第１１の実施形態の情報合成装置によれば、外部のネットワークから入手した地理情報をユーザの現在位置とユーザの指示により選択・整理することにより、ユーザの興味ある地理情報を道路情報に重ねてわかりやすく表示することができ、最新の地理情報を道路情報の上で確認することができる。
第１２の実施形態の情報合成装置によれば、外部のネットワークから入手した地理情報をユーザの現在位置とユーザの指示により選択・整理することにより、ユーザの興味ある地理情報のイメージを道路情報に重ねてわかりやすく表示することができ、最新の地理情報を道路情報の上で確認することができる。
【０１８９】
【発明の効果】
本発明によれば、外部のネットワークから入手した情報をユーザの現在位置とユーザの指示により選択・整理することにより、ユーザの興味ある情報を道路情報に重ねてわかりやすく提供することができる。
【図面の簡単な説明】
【図１】実施の形態１の情報合成装置のシステム構成を示すブロック図
【図２】実施の形態１の情報合成装置のハードウエア構成を示すブロック図
【図３】実施の形態１の情報合成装置の動作を説明するフローチャート
【図４】情報合成装置で読み込まれる道路情報を示す図
【図５】情報合成装置で読み込まれる地理情報を示す図
【図６】情報合成装置で合成される情報を示す図
【図７】実施の形態２の情報合成装置のシステム構成を示すブロック図
【図８】実施の形態２の情報合成装置のハードウエア構成を示すブロック図
【図９】実施の形態２の情報合成装置の動作を説明するフローチャート
【図１０】情報合成装置で選択される地理情報を示す図
【図１１】情報合成装置で合成される情報を示す図
【図１２】実施の形態３の情報合成装置のシステム構成を示すブロック図
【図１３】実施の形態３の情報合成装置のハードウエア構成を示すブロック図
【図１４】実施の形態３の情報合成装置の動作を説明するフローチャート
【図１５】情報合成装置で入手される地理情報を示す図
【図１６】情報合成装置で選択される地理情報を示す図
【図１７】情報合成装置で合成される情報を示す図
【図１８】実施の形態４の情報合成装置のシステム構成を示すブロック図
【図１９】実施の形態４の情報合成装置のハードウエア構成を示すブロック図
【図２０】実施の形態４の情報合成装置の動作を説明するフローチャート
【図２１】実施の形態５の情報合成装置のシステム構成を示すブロック図
【図２２】実施の形態５の情報合成装置のハードウエア構成を示すブロック図
【図２３】実施の形態５の情報合成装置の動作を説明するフローチャート
【図２４】実施の形態６の情報合成装置のシステム構成を示すブロック図
【図２５】実施の形態６の情報合成装置のハードウエア構成を示すブロック図
【図２６】実施の形態６の情報合成装置の動作を説明するフローチャート
【図２７】実施の形態７の情報合成装置のシステム構成を示すブロック図
【図２８】実施の形態７の情報合成装置のハードウエア構成を示すブロック図
【図２９】実施の形態７の情報合成装置の動作を説明するフローチャート
【図３０】情報合成装置で利用される変換表を示す図
【図３１】情報合成装置で合成される情報を示す図
【図３２】実施の形態８の情報合成装置のシステム構成を示すブロック図
【図３３】実施の形態８の情報合成装置のハードウエア構成を示すブロック図
【図３４】実施の形態８の情報合成装置の動作を説明するフローチャート
【図３５】実施の形態９の情報合成装置のシステム構成を示すブロック図
【図３６】実施の形態９の情報合成装置のハードウエア構成を示すブロック図
【図３７】実施の形態９の情報合成装置の動作を説明するフローチャート
【図３８】情報合成装置で表示される情報を示す図
【図３９】実施の形態１０の情報合成装置のシステム構成を示すブロック図
【図４０】実施の形態１０の情報合成装置のハードウエア構成を示すブロック図
【図４１】実施の形態１０の情報合成装置の動作を説明するフローチャート
【図４２】情報合成装置で入手される地理情報を示す図
【図４３】情報合成装置で合成される情報を示す図
【図４４】情報合成装置で合成される情報を示す図
【図４５】実施の形態１１の情報合成装置のシステム構成を示すブロック図
【図４６】実施の形態１１の情報合成装置のハードウエア構成を示すブロック図
【図４７】実施の形態１１の情報合成装置の動作を説明するフローチャート
【図４８】情報合成装置で合成される情報を示す図
【図４９】実施の形態１２の情報合成装置のシステム構成を示すブロック図
【図５０】実施の形態１２の情報合成装置のハードウエア構成を示すブロック図
【図５１】実施の形態１２の情報合成装置の動作を説明するフローチャート
【図５２】情報合成装置で利用される変換表を示す図
【図５３】情報合成装置で合成される情報を示す図
【符号の説明】
１０１，７０１，１２０１，１８０１，２１０１，２４０１２７０１，３２０１，３５０１，３９０１，４５０１，４９０１  道路情報蓄積手段
１０２  地理情報蓄積手段
１０３，７０４，１２０５，１８０５，２１０５，２４０６，２７０７，３２０６，３５０６，３９０７，４５０７，４９０８  情報合成手段
７０２，１２０２，１８０２，２１０２，２４０２，２７０２，３２０２，３５０２，３９０２，４５０２，４９０２  外部情報入手手段
７０３，１２０４，１８０４，２１０４，２４０５，２７０５，３２０５，３５０５，３９０６，４５０５，４９０５  外部情報蓄積手段
１２０３  選択情報入手手段
１８０３，２４０３，２７０３，３２０３，３５０３，３９０３，４５０３，４９０３  ユーザ入力手段
２１０３，２４０４，２７０４，３２０４，３５０４，３９０４，４５０４，４９０４  現在位置取得手段
２４０７  警告発生手段
２７０６，４９０７  変換表蓄積手段
３２０７，３５０７  情報表示手段
３５０８  情報発信手段
３９０５  進行方向検出手段
４５０６，４９０６  情報整理手段
２０１，８０１，１３０１，１９０１，２２０１，２５０１，２８０１，３３０３，３６０３，４００１，４６０１，５００１  主記憶装置
２０２，８０２，１３０２，１９０２，２２０２，２５０２，２８０２，３３０４，３６０４，４００２，４６０２，５００２  外部記憶装置
２０３，８０３，１３０３，１９０３，２２０３，２５０３，２８０３，３３０５，３６０５，４００３，４６０３，５００３  ＣＰＵ
８０４，１３０４，１９０４，２２０４，２５０４，２８０４，３３０６，３６０６，４００４，４６０４，５００４  モデム
２２０５，２５０５，２８０５，３３０７，３６０７，４００５，４６０５，５００５  ＧＰＳ
２５０６  スピーカ
３３０１，３６０１  表示装置
３３０２，３６０２  ＶＲＡＭ
【図１】
0003624659.tif 000002
【図２】
0003624659.tif 000003
【図３】
0003624659.tif 000004
【図４】
0003624659.tif 000005
【図５】
0003624659.tif 000006
【図６】
0003624659.tif 000007
【図７】
0003624659.tif 000008
【図８】
0003624659.tif 000009
【図９】
0003624659.tif 000010
【図１０】
0003624659.tif 000011
【図１１】
0003624659.tif 000012
【図１２】
0003624659.tif 000013
【図１３】
0003624659.tif 000014
【図１４】
0003624659.tif 000015
【図１５】
0003624659.tif 000016
【図１６】
0003624659.tif 000017
【図１７】
0003624659.tif 000018
【図１８】
0003624659.tif 000019
【図１９】
0003624659.tif 000020
【図２０】
0003624659.tif 000021
【図２１】
0003624659.tif 000022
【図２２】
0003624659.tif 000023
【図２３】
0003624659.tif 000024
【図２４】
0003624659.tif 000025
【図２５】
0003624659.tif 000026
【図２６】
0003624659.tif 000027
【図２７】
0003624659.tif 000028
【図２８】
0003624659.tif 000029
【図２９】
0003624659.tif 000030
【図３０】
0003624659.tif 000031
【図３１】
0003624659.tif 000032
【図３２】
0003624659.tif 000033
【図３３】
0003624659.tif 000034
【図３４】
0003624659.tif 000035
【図３５】
0003624659.tif 000036
【図３６】
0003624659.tif 000037
【図３７】
0003624659.tif 000038
【図３８】
0003624659.tif 000039
【図３９】
0003624659.tif 000040
【図４０】
0003624659.tif 000041
【図４１】
0003624659.tif 000042
【図４２】
0003624659.tif 000043
【図４３】
0003624659.tif 000044
【図４４】
0003624659.tif 000045
【図４５】
0003624659.tif 000046
【図４６】
0003624659.tif 000047
【図４７】
0003624659.tif 000048
【図４８】
0003624659.tif 000049
【図４９】
0003624659.tif 000050
【図５０】
0003624659.tif 000051
【図５１】
0003624659.tif 000052
【図５２】
0003624659.tif 000053
【図５３】
0003624659.tif 000054